(57)【特許請求の範囲】
【請求項１】
穀粒貯留装置（１）に該穀粒貯留装置（１）の容量を拡張する位置に移動可能な増量部（２）を設け、駆動装置（４５）を電動モータ（４６）と該電動モータ（４６）によって駆動されるギヤ（４７）と該ギヤ（４７）の回転によって摺動するラック杆（４８）とから構成して穀粒貯留装置（１）の外側上方部位に設けると共に前記増量部（２）の上端部側には前記ラック杆（４８）の外側端部に設けたロックピン（５３）を嵌入案内するガイド部（５４）と該ロックピン（５３）に係合可能なフック（５５）とを設けて前記駆動装置（４５）の作動によって前記増量部（２）を容量拡張位置に移動させられるように構成する一方、ロック解除ハンドル（５６）を操作して前記フック（５５）を回動させてロックピン（５３）との係合を解除することによって前記駆動装置（４５）と増量部（２）との連結状態を解除して該増量部（２）を容量拡張位置へ手動操作できるように構成したことを特徴とする穀粒貯留装置。
【発明の詳細な説明】
【０００１】
【産業上の利用分野】
本発明は、穀粒貯留装置に関する。
【０００２】
【従来の技術】
従来より、コンバイン等に搭載するこの種の穀粒貯留装置として、箱型に形成した穀粒貯留装置に、外方へ拡張可能な増量部を設けた構成のものがある。
【０００３】
【発明が解決しようとする課題】
かかる従来技術では、前記増量部を拡張する際の操作性、取扱性に難点がある。本発明はこの操作性、取扱性の向上を図ることを目的とする。
【０００４】
【課題を解決するための手段】
上記課題を解決するために、この発明は、穀粒貯留装置（１）に該穀粒貯留装置（１）の容量を拡張する位置に移動可能な増量部（２）を設け、駆動装置（４５）を電動モータ（４６）と該電動モータ（４６）によって駆動されるギヤ（４７）と該ギヤ（４７）の回転によって摺動するラック杆（４８）とから構成して穀粒貯留装置（１）の外側上方部位に設けると共に前記増量部（２）の上端部側には前記ラック杆（４８）の外側端部に設けたロックピン（５３）を嵌入案内するガイド部（５４）と該ロックピン（５３）に係合可能なフック（５５）とを設けて前記駆動装置（４５）の作動によって前記増量部（２）を容量拡張位置に移動させられるように構成する一方、ロック解除ハンドル（５６）を操作して前記フック（５５）を回動させてロックピン（５３）との係合を解除することによって前記駆動装置（４５）と増量部（２）との連結状態を解除して該増量部（２）を容量拡張位置へ手動操作できるように構成したことを特徴とする穀粒貯留装置としたものである。
【０００５】
【発明の効果】
本発明によると、穀粒貯留装置１の容量の拡張を容易に行え、また、そのために設けた電動式の駆動装置４５が故障により動作不能な状態に陥っても、駆動装置４５と増量部２との連結状態を解除して手動によって穀粒貯留装置１の容量の拡張操作を行うこともできる。従って、従来技術の課題を解消し、操作性、取扱性を向上させることができる。
【０００６】
【実施例】
本発明の一実施例を、コンバインを例示して詳細に説明する。コンバインの機体は、無限軌道帯式の左右の走行装置５，５の上方に機台６を設け、該機台６の上部に、脱穀装置７と穀粒貯留装置１とを並設し、更に操縦部８、原動機９等を設けて構成する。前記脱穀装置７の前方には刈取装置１０を昇降自在に設ける。
【０００７】
まず、前記穀粒貯留装置１の参考例について説明する。
この前記穀粒貯留装置１の後面壁近傍には穀粒排出装置４２の揚穀螺旋筒４３を前記機台６側から立設し、該揚穀螺旋筒４３の上部を回動自在に支持する支持部材４４に前記穀粒貯留装置１の後壁１４を横方向回動自在に支持させる。これにより、前記穀粒貯留装置１は、機体外側方へ回動自在となる。しかして、前記穀粒貯留装置１は奥側の側壁１１、外側の側壁１２、前壁１３、後壁１４、及び天板１５から、平面視矩形、側面視矩形、正面視略五角形状の箱型に形成する。
【０００８】
また、前記穀粒貯留装置１の外側の側壁１２には、矩形の開口部を形成し、該開口部の下縁部に、増量部２の下端辺部を前後方向の軸Ｐにより軸着する。該増量部２は、外側の側壁１６、前壁１７、後壁１８、及び天板１９から、平切断端面コ字形状、側面視矩形、正面視背面視逆三角形状の枠体に構成する。前記天板１９は２枚の板体を屈折自在に接合し、その一端部を前記穀粒貯留装置１の外側の側壁１２の開口部上端縁に連結し、他端部を前記増量部２の外側の側壁１６上端部に連結したものである。また、前記増量部２の前壁１７、後壁１８には、前記外側の側壁１２の開口部側縁の補強部材２０に取り付けた弾性シ−ル材２１を当接させる。前記増量部２を前記軸Ｐを中心に外側方へ回動させる際に、前記前壁１７、後壁１８に対して前記弾性シ−ル材２１が常に摺接し、内部からの穀粒のこぼれを防止するものである。尚、前記外側の側壁１６は、前記前壁１７と後壁１８との前後間隔より前後方向幅の大きいものであり、前記前壁１７及び後壁１８より更に前方及び後方へ夫々突出してカバ−部２２，２２を形成するものである。また、２３は、前記前壁１７、後壁１８に設ける内部視認用の透明板である。
【０００９】
また、前記穀粒貯留装置１の前壁１３及び後壁１４の上部外側寄り部位には、取付けステ−２４，２４を介してロックピン２５，２５を前後方向向きに螺着２６締結して固定する。一方、前記増量部２の前記前壁１７及び後壁１８の上端部外側端近傍部位には、ロック装置３，３を設ける。該ロック装置３，３は、前記増量部２の外側の側壁１６の前記カバ−部２２，２２上端部位に取付けるもので、支持ステ−２７，２７、支点軸２８，２８、リム−バ−２９，２９、ボス部３０，３０を有するフック３１，３１、巻きバネ３２，３２から構成する。
【００１０】
前記支持ステ−２７，２７は断面Ｌ字形状の板体で、前記カバ−部２２，２２内側上端部に、内側へ起立状に螺着３３，３３固定する。そして、該支持ステ−２７，２７の自由端側に、前記支点軸２８，２８を前後方向に起立状に固定する。該支点軸２８，２８には、まず、前記フック３１，３１のボス部３０，３０を回動自在に遊嵌し、前記巻きバネ３２，３２によって自由端側を常時下向き回動付勢するように構成する。次に、前記支点軸２８，２８に対して前記リム−バ−２９，２９の中間部を回動自在に軸着し、該リム−バ−２９，２９内側端部に直角屈曲形成した係合部３４，３４を、前記フック３１，３１の自由端側に下側から当接可能に構成する。
【００１１】
尚、前記増量部２の開閉軸心である軸Ｐに対して、前記ロックピン２５，２５と支点軸２８，２８とは略同一の距離に位置させる。また、前記増量部２の外側における上下方向略中央部位にロック解除ハンドル４を設ける。該ロック解除ハンドル４はパイプ材をコ字形状に屈曲形成したもので、支持ステ−３５，３５、支点軸３６，３６、回動プレ−ト３７，３７を介して前記増量部２に取付けられるものである。
【００１２】
前記支持ステ−３５，３５は断面Ｌ字形状の板体で、前記カバ−部２２，２２内側における上下方向略中央部位に、内側へ起立状に螺着３８，３８固定する。そして、該支持ステ−３５，３５の自由端側に、前記支点軸３６，３６を前後方向に起立状に固定する。該支点軸３６，３６には、前記回動プレ−ト３７，３７の中間部を回動自在に遊嵌する。そして、該回動プレ−ト３７，３７の奥側の端部上側に前記ロック解除ハンドル４の屈曲辺端部を螺着３９，３９固定する。該ロック解除ハンドル４の屈曲辺部は、前記カバ−部２２，２２に設ける長孔４０，４０を貫通して、前記回動プレ−ト３７，３７に至るものである。これによって、前記ロック解除ハンドル４の前後長辺部は、前記増量部２の外側の側壁１６に沿って配置される。また、前記回動プレ−ト３７，３７の外側の端部には、連動リンク部材４１，４１の下端部を軸着する。該連動リンク部材４１，４１の上端部は、前記ロック装置３，３のリム−バ−２９，２９の外側端部に軸着する。
【００１３】
公道走行時やコンバイン作業初期等、前記穀粒貯留装置１に対して前増量部２を収納する際には、作業者は前記増量部２の外側の側壁１６を内側へ押し込み操作する。これによって、前記増量部２は下端部の軸Ｐを軸心として内側へ回動し、前記カバ−部２２，２２の内側面が前記穀粒貯留装置１の外側の側壁１２外側面に当接した状態（「完全な閉状態」）となると、上端部に設けるロック装置３，３がロック作動する。
【００１４】
即ち、前記増量部２を内側へ回動させると、まず、前記増量部２に設けるロック装置３，３のフック３１，３１先端部傾斜下縁が前記穀粒貯留装置１の前後側壁１３，１４に設けるロックピン２５，２５に当接する状態となる。そして、更に前記増量部２を内側へ回動させると、前記フック３１，３１は前記ロックピン２５，２５によって押し上げ案内され、前記リム−バ−２９，２９の係合部３４，３４から上方へ離脱して回動する。従って、このとき、前記ロック解除ハンドル４は不動である。そして、前記増量部２を更に内側へ回動させ、前記の「完全な閉状態」に至ると、前記フック３１，３１下縁の係合凹部が前記ロックピン２５，２５に嵌合し、ロックが完了するのである。前記フック３１，３１とロックピン２５，２５との嵌合は、前記巻きバネ３２，３２の付勢力によって積極的に行なわれ、また維持されるものである。尚、このロック状態において、前記ロック解除ハンドル４の屈曲辺部は外側上がり姿勢となる。即ち、前記螺着３９，３９部より、前記前後長辺部の方が高い傾斜姿勢となるのである。
【００１５】
また、コンバイン作業時等において、前記穀粒貯留装置１の容量を拡大するために前記増量部２を拡張する際には、作業者は前記ロック解除ハンドル４の前後長辺部を把持し、該ロック解除ハンドル４を押し下げる。これによって前記ロック装置３，３のロックが解除される即ち、前記ロック解除ハンドル４の押し下げ操作により、該ロック解除ハンドル４と一体の回動プレ−ト３７，３７が回動し、前記連動リンク部材４１，４１を下動させる。この前記連動リンク部材４１，４１の下動によって前記リム−バ−２９，２９を回動させる。そして、該リム−バ−２９，２９に形成した係合部３４，３４の当接によって、前記フック３１，３１を前記巻きバネ３２，３２の弾性力に抗して上方回動させる。これによって、前記フック３１，３１とロックピン２５，２５との嵌合状態は解かれ、前記増量部２は外側方へ回動自由な状態となる。この状態で、作業者は、前記ロック解除ハンドル４の前後長辺部を把持して押し下げたまま、これを外側方へ引き操作する。これによって、前記ロック解除ハンドル４と、前記支持ステ−３５，３５、支点軸３６，３６、回動プレ−ト３７，３７を介して一体の前記増量部２は外側方へ引き出し回動されるのである。
【００１６】
以上により、増量部２の「閉状態」が確実に維持できると共に、該増量部２の拡張操作を容易に行なうことができるものである。
【００１７】
さて、本発明の実施例として、前記穀粒貯留装置１の前壁１３外側上方部位に、増量部開閉駆動装置４５を設ける。該増量部開閉駆動装置４５は、電動モ−タ４６、該電動モ−タ４６によって駆動されるギヤ４７、該ギヤ４７の回転によって摺動するラック杆４８、及び前記電動モ−タ４６、ギヤ４７、ラック杆４８を支持する支持部材４９から構成する。また、前記穀粒貯留装置１の後壁１４外側上方部位には、前記ギヤ４７と同軸によって一体回転するギヤ５０、該ギヤ５０の回転によって摺動するラック杆５１、及び前記ギヤ５０、ラック杆５１を支持する支持部材５２（いずれも図示せず）を設ける。前記電動モ−タ４６は、操縦部８からの遠隔操作により正逆転可能に構成する。前記ラック杆４８，５１の外側端部にはロックピン５３，５３を設ける。
【００１８】
また、前記増量部２の外側の側壁１６の前後のカバ−部２２，２２上端部内側には、前記ラック杆４８，５１のロックピン５３，５３を嵌入案内する前後のガイド部５４，５４と、前記ロックピン５３，５３に係合可能な前後のフック５５，５５を設ける。該前後のフック５５，５５は、前記外側の側壁１６外側に沿う前後方向のロック解除ハンドル５６によって連結し、一体回動可能に構成する。また、前記フック５５，５５は、前記ロックピン５３，５３に係合すべく、巻きバネ５７，５７により常時回動付勢する。
【００１９】
以上の構成により、前記操縦部８からの遠隔操作、或いは自動出力により、前記電動モ−タ４６を正逆転駆動することにより、前記増量部２を駆動開閉させることができる。また、前記ロック解除ハンドル５６の引下げ操作によって前記フック５５，５５とロックピン５３，５３との係合を解き、手動で前記増量部２を開方向に引き出し操作することができる。これによって、前記増量部２を閉方向に回動させた状態で、前記電動モ−タ４６が故障のため駆動不能の状態に陥っても、前記増量部２の開方向への操作は可能ならしめられ、作業効率に支障は来さないのである。
【図面の簡単な説明】
【図１】  参考例における要部の説明用背面図である。
【図２】  参考例における要部Ａ矢視において一部を破断する平面図である。
【図３】  参考例におけるＢ−Ｂ断面図である。
【図４】  参考例におけるコンバインの斜視図である。
【図５】  参考例におけるコンバインの平面図である。
【図６】  参考例におけるコンバインの側面図である。
【図７】  参考例におけるコンバインの一部の側面図である。
【図８】  この発明の実施例における要部の説明用正面図である。
【図９】  この発明の実施例における要部の説明用正面図である。
【図１０】  この発明の実施例における要部の説明用平面図である。
【符号の説明】
１  穀粒貯留装置
２  増量部
４５  増量部開閉駆動装置
４６  電動モータ
４７  ギヤ
４８  ラック杆
５３  ロックピン
５４  ガイド部
５５  フック
５６  ロック解除ハンドル
【図１】
0003795926.tif 000002
【図２】
0003795926.tif 000003
【図３】
0003795926.tif 000004
【図４】
0003795926.tif 000005
【図５】
0003795926.tif 000006
【図６】
0003795926.tif 000007
【図７】
0003795926.tif 000008
【図８】
0003795926.tif 000009
【図９】
0003795926.tif 000010
【図１０】
0003795926.tif 000011